(57)【要約】【課題】常用点灯装置及び非常用点灯装置の構成部品の中に重複するものが少なく、部品コストを低減することが出来、組立に手数がかからず、無駄が少ない非常灯点灯装置の提供。【解決手段】交流電源ＡＣを整流した直流電源（２）により蛍光灯Ｌａを点灯させるインバータＱ２，Ｑ３と、交流電源ＡＣの停電を検知する検知手段（図示せず）と、検知手段が停電を検知したときに、電源を供給する為の非常用電源（図示せず）とを備え、検知手段が停電を検知したときは、非常用電源により蛍光灯Ｌａを点灯させる非常灯点灯装置。非常用電源が供給した電源を昇圧する昇圧手段（図示せず）と、検知手段が停電を検知したときに、インバータＱ２，Ｑ３に供給される電源を、前記昇圧手段が昇圧した電源に直流電源（２）から切り換える切換手段７１，７２，７４とを備える構成である。【選択図】        図１
2004319361.tif 000002
【特許請求の範囲】
【請求項１】
交流電源を整流した直流電源により蛍光灯を点灯させるインバータと、前記交流電源の停電を検知する検知手段と、該検知手段が停電を検知したときに、電源を供給する為の非常用電源とを備え、前記検知手段が停電を検知したときは、前記非常用電源により前記蛍光灯を点灯させる非常灯点灯装置において、
前記非常用電源が供給した電源を昇圧する昇圧手段と、前記検知手段が停電を検知したときに、前記インバータに供給される電源を、前記昇圧手段が昇圧した電源に前記直流電源から切り換える切換手段とを備えることを特徴とする非常灯点灯装置。
【請求項２】
前記非常用電源は、二次電池と、該二次電池を前記交流電源により充電する充電回路とを備える請求項１記載の非常灯点灯装置。
【請求項３】
前記昇圧手段は、前記非常用電源を作動電源とする昇圧回路、又は多段に接続された複数の前記昇圧回路を備える請求項１又は２記載の非常灯点灯装置。
【請求項４】
前記昇圧手段は、前記非常用電源から一次巻線に電源が供給される変圧器と、該変圧器の二次巻線及び前記一次巻線の接続接点とグランド端子との間に接続され、前記非常用電源を作動電源としてオン／オフするスイッチング素子と、前記変圧器の二次巻線に流れる電流を整流する整流素子とを備え、前記スイッチング素子を連続的にオン／オフすることにより、前記電源を昇圧すべくなしてある請求項１又２記載の非常灯点灯装置。
【請求項５】
前記二次電池を除く部分が、１つの基板上に装備されると共に、１つの筐体に収納されている請求項２乃至４の何れかに記載の非常灯点灯装置。
【発明の詳細な説明】
【０００１】
【発明の属する技術分野】
本発明は、交流電源を整流した直流電源により蛍光灯を点灯させるインバータと、交流電源の停電を検知する検知手段と、検知手段が停電を検知したときに、電源を供給する為の非常用電源とを備え、検知手段が停電を検知したときは、非常用電源により蛍光灯を点灯させる非常灯点灯装置に関するものである。
【０００２】
【従来の技術】
図５は、特許文献１に従来の技術として記載された非常灯回路の構成例を示すブロック図である。この非常灯回路は、常用時に商用交流電源Ｅによりランプ１０９を点灯させる常用点灯回路１００と、商用交流電源Ｅが停電したときに、ランプ１０９を点灯させる非常点灯回路１１１とを備えている。
非常点灯回路１１１は、降圧トランス１０１が商用交流電源Ｅを降圧し、その降圧した電源を全波整流回路１０２が整流し、その整流した電源を平滑コンデンサ１０３が平滑して出力する直流定電圧電源回路１２１を備えている。
【０００３】
非常点灯回路１１１は、また、直流定電圧電源回路１２１を電源として作動するリレーＲＥを備え、常用時には、リレー接点ＲＥ１，ＲＥ２によりランプ１０９を常用点灯回路１００に接続すると共に、直流定電圧電源回路１２１によりバッテリー１０７を充電し、商用交流電源Ｅの停電時には、リレー接点ＲＥ１，ＲＥ２によりランプ１０９を非常点灯回路１１１に切換接続する充電制御・放電切換回路１２２と、商用交流電源Ｅの停電時に、リレー接点ＲＥ１，ＲＥ２によりランプ１０９に接続され、バッテリー１０７を電源としてランプ１０９を点灯させる点灯回路１０８とを備えている。
【０００４】
このような構成の非常灯回路では、常用時には、リレー接点ＲＥ１，ＲＥ２によりランプ１０９を常用点灯回路１００に接続して点灯させると共に、直流定電圧電源回路１２１によりバッテリー１０７を充電する。商用交流電源Ｅの停電時には、直流定電圧電源回路１２１からの電源喪失によりリレーＲＥが作動して、リレー接点ＲＥ１，ＲＥ２がランプ１０９を非常点灯回路１１１に切換接続し、非常点灯回路１１１は、バッテリー１０７を電源としてランプ１０９を点灯させる。
【０００５】
上述したように、商用交流電源が停電した場合に、蛍光灯を点灯させる非常用照明器具（非常灯回路）では、非常用電源としてニッカド電池等の二次電池が使用されており、商用交流電源の通電時に二次電池を充電しておき、停電時に二次電池を電源として蛍光灯を点灯させる構成となっている。商用交流電源が停電した場合は、二次電池を電源として一部の蛍光灯を２０〜６０分間点灯させるようになっており、その一部の蛍光灯には、上述したように、常用点灯装置（常用点灯回路）と非常用点灯装置（非常点灯回路）とが装備されている。
また、常用点灯装置及び非常用点灯装置は、それぞれ別の基板上に装備され、また、それらを収納するケースも別になっており、取付けもそれぞれ個別に行なわれている。
【０００６】
【特許文献１】
特開２００２−２９９０８３号公報（Ｐ２００２−２９９０８３Ａ）
【特許文献２】
特開２００３−３１３８１号公報（Ｐ２００３−３１３８１Ａ）
【０００７】
【発明が解決しようとする課題】
上述したような非常用照明器具（非常灯回路、非常灯点灯装置）では、常用点灯装置及び非常用点灯装置が個別に装備されている為、構成部品の中に重複するものが多く、部品コストの上昇を招くと共に、組立に手数がかかり、省資源の観点からも無駄が多いという問題があった。
【０００８】
特許文献１には、種々の電源電圧に対応して使用出来る非常灯回路が開示されており、特許文献２には、力率の低い点灯手段を使用しながらも高調波を充分に抑制することが可能な非常用照明器具が開示されている。
本発明は、上述したような事情に鑑みてなされたものであり、常用点灯装置及び非常用点灯装置の構成部品の中に重複するものが少なく、部品コストを低減することが出来、組立に手数がかからず、無駄が少ない非常灯点灯装置を提供することを目的とする。
【０００９】
【課題を解決するための手段】
第１発明に係る非常灯点灯装置は、交流電源を整流した直流電源により蛍光灯を点灯させるインバータと、前記交流電源の停電を検知する検知手段と、該検知手段が停電を検知したときに、電源を供給する為の非常用電源とを備え、前記検知手段が停電を検知したときは、前記非常用電源により前記蛍光灯を点灯させる非常灯点灯装置において、前記非常用電源が供給した電源を昇圧する昇圧手段と、前記検知手段が停電を検知したときに、前記インバータに供給される電源を、前記昇圧手段が昇圧した電源に前記直流電源から切り換える切換手段とを備えることを特徴とする。
【００１０】
この非常灯点灯装置では、インバータが、交流電源を整流した直流電源により蛍光灯を点灯させ、検知手段が交流電源の停電を検知する。非常用電源が、検知手段が停電を検知したときに電源を供給し、非常用電源により蛍光灯を点灯させる。昇圧手段が、非常用電源が供給した電源を昇圧し、検知手段が停電を検知したときに、切換手段が、インバータに供給される電源を、昇圧手段が昇圧した電源に直流電源から切り換える。
これにより、常用点灯装置及び非常用点灯装置の構成部品の中に重複するものが少なく、部品コストを低減することが出来、組立に手数がかからず、無駄が少ない非常灯点灯装置を実現することが出来る。
【００１１】
第２発明に係る非常灯点灯装置は、前記非常用電源は、二次電池と、該二次電池を前記交流電源により充電する充電回路とを備えることを特徴とする。
【００１２】
この非常灯点灯装置では、非常用電源は、二次電池を備え、充電回路が、二次電池を交流電源により充電するので、常用点灯装置及び非常用点灯装置の構成部品の中に重複するものが少なく、部品コストを低減することが出来、組立に手数がかからず、無駄が少ない非常灯点灯装置を実現することが出来る。
【００１３】
第３発明に係る非常灯点灯装置は、前記昇圧手段は、前記非常用電源を作動電源とする昇圧回路、又は多段に接続された複数の前記昇圧回路を備えることを特徴とする。
【００１４】
この非常灯点灯装置では、昇圧手段は、非常用電源を作動電源とする昇圧回路、又は多段に接続された複数のその昇圧回路を備えるので、常用点灯装置及び非常用点灯装置の構成部品の中に重複するものが少なく、部品コストを低減することが出来、組立に手数がかからず、無駄が少ない非常灯点灯装置を実現することが出来る。また、多段に接続された複数の昇圧回路を備えた場合は、各昇圧回路のスイッチング素子の温度上昇を抑制することが出来る。
【００１５】
第４発明に係る非常灯点灯装置は、前記昇圧手段は、前記非常用電源から一次巻線に電源が供給される変圧器と、該変圧器の二次巻線及び前記一次巻線の接続接点とグランド端子との間に接続され、前記非常用電源を作動電源としてオン／オフするスイッチング素子と、前記変圧器の二次巻線に流れる電流を整流する整流素子とを備え、前記スイッチング素子を連続的にオン／オフすることにより、前記電源を昇圧すべくなしてあることを特徴とする。
【００１６】
この非常灯点灯装置では、昇圧手段は、変圧器が非常用電源から一次巻線に電源が供給され、変圧器の二次巻線及び一次巻線の接続接点とグランド端子との間に接続されたスイッチング素子が、非常用電源を作動電源としてオン／オフする。整流素子が、変圧器の二次巻線に流れる電流を整流し、スイッチング素子を連続的にオン／オフすることにより、一次巻線に供給された電源を昇圧する。
これにより、常用点灯装置及び非常用点灯装置の構成部品の中に重複するものが少なく、部品コストを低減することが出来、組立に手数がかからず、無駄が少ない非常灯点灯装置を実現することが出来る。
【００１７】
第５発明に係る非常灯点灯装置は、前記二次電池を除く部分が、１つの基板上に装備されると共に、１つの筐体に収納されていることを特徴とする。
【００１８】
この非常灯点灯装置では、二次電池を除く部分が、１つの基板上に装備されると共に、１つの筐体に収納されているので、常用点灯装置及び非常用点灯装置の構成部品の中に重複するものが少なく、部品コストを低減することが出来、組立に手数がかからず、無駄が少ない非常灯点灯装置を実現することが出来る。
【００１９】
【発明の実施の形態】
以下に、本発明を、その実施の形態を示す図面を参照しながら説明する。
実施の形態１．
図１，２は、本発明に係る非常灯点灯装置の実施の形態１の構成を示すブロック図である。この非常灯点灯装置は、通常時に商用交流電源ＡＣを整流して昇圧し、その整流して昇圧した電源により、内蔵するインバータが蛍光灯Ｌａを点灯させる常用点灯装置Ａと、非常用電源である二次電池Ｂａと、通常時に商用交流電源ＡＣにより二次電池Ｂａを充電する充電装置Ｂと、商用交流電源ＡＣが停電したときに、二次電池Ｂａからの電源を昇圧して、常用点灯装置Ａが内蔵するインバータに与える昇圧装置Ｃ（昇圧手段、昇圧回路）と、商用交流電源ＡＣの停電を検知する為の交流リレー７０（検知手段）とから構成されている。
【００２０】
この非常灯点灯装置は、二次電池Ｂａを除く、常用点灯装置Ａ、充電装置Ｂ、昇圧装置Ｃ及び交流リレー７０が、１つの基板（図示せず）上に装備され、また、１つのケース（筐体）（図示せず）に収納されている。
常用点灯装置Ａは、商用交流電源ＡＣに並列接続されたサージ吸収素子１１と、サージ吸収素子１１に並列接続されたコンデンサ１２と、商用交流電源ＡＣにコモンモード接続されたコモンモードチョークコイル１３と、コモンモードチョークコイル１３の２つのコイルの各出力端が両端子に接続されたコンデンサ１４と、コモンモードチョークコイル１３が出力した電流を全波整流する全波整流回路２とを備えている。
【００２１】
全波整流回路２の陰極側の出力端子は、接地されると共に、コンデンサ５０を通じて接地されている。全波整流回路２の陽極側の出力端子は、抵抗２１とコンデンサ５１及び電解コンデンサ５２の並列回路とを通じて接地されている。
全波整流回路２には、コンデンサ５３が並列接続されると共に、陽極側の出力端子及び陰極側の出力端子間に、抵抗２３，２４，２５が直列接続されている。抵抗２３，２４及び抵抗２５による分電圧がＩＣ８２に与えられる。
【００２２】
全波整流回路２の陽極側の出力端子は、チョークコイル３の一次巻線３ａの一方の端部に接続され、一次巻線３ａの他方の端部は、ダイオード４のアノードに接続されている。ダイオード４のアノードには、また、ＮチャネルＦＥＴＱ１のドレインが接続され、ＦＥＴＱ１のソースは抵抗３０を通じて接地されている。ＦＥＴＱ１のソースは、また、抵抗２９の一方の端子に接続され、抵抗２９の他方の端子は、ＩＣ８２に接続されると共に、コンデンサ５５を通じて接地されている。
ＦＥＴＱ１のゲートは、他方の端子が接地された抵抗２８の一方の端子に接続されると共に、抵抗２７を通じてＩＣ８２に接続されている。
【００２３】
チョークコイル３の二次巻線３ｂの一方の端部は接地され、他方の端部は、抵抗２６を通じてＩＣ８２に接続されると共に、ダイオード６０のアノードに接続されている。ダイオード６０のカソードは、上記電解コンデンサ５２の陽極及びＩＣ８２に接続されている。
チョークコイル３の二次巻線３ｃの両端部には、それぞれダイオード６１，６２の各アノードが接続され、ダイオード６１，６２の各カソードは、電解コンデンサ５４を通じて接地され、二次巻線３ｃの中点タップは接地されている。
【００２４】
上記ダイオード４のカソードには、リレー接点７１の第１接点が接続されると共に、ダイオード４のカソード及び接地端子間には、抵抗３１，３２，３３が直列接続されている。抵抗３２，３３の接続節点は、コンデンサ５６を通じて接地されると共に、ＩＣ８２に接続されている。
接地端子は、また、リレー接点７２の第１接点に接続されている。
【００２５】
通常時は、リレー接点７１の第１接点に接続されているリレー接点７１の第３接点と、通常時は、リレー接点７２の第１接点に接続されているリレー接点７２の第３接点との間には、電解コンデンサ５と、コンデンサ５ａと、抵抗３４と、ＮチャネルＦＥＴＱ２，Ｑ３の直列回路と、コンデンサ８，９の直列回路とが並列に接続されている。
上記チョークコイル３の一次巻線３ａ、ＦＥＴＱ１、ＩＣ８２、ダイオード４、及び電解コンデンサ５は、昇圧チョッパ回路を構成している。
【００２６】
ＦＥＴＱ２，Ｑ３の各ゲートは、それぞれ抵抗３５，３７を通じてＩＣ８３に接続されている。ＦＥＴＱ２，Ｑ３の各ゲート―ソース間には、それぞれ抵抗３６，３８が接続されている。
ＩＣ８３には、また、上記電解コンデンサ５４の陽極が接続され、電源が供給される。
ＦＥＴＱ２，Ｑ３及びＩＣ８３は、インバータの一部を構成している。
【００２７】
ＦＥＴＱ２，Ｑ３の接続節点には、チョークコイル６の一方の端部が接続され、他方の端部は、蛍光灯Ｌａの一方のフィラメントに接続されている。蛍光灯Ｌａの一方のフィラメントは、コンデンサ７を通じて、他方のフィラメントに接続され、他方のフィラメントは、コンデンサ８，９の接続節点に接続されている。
交流リレー７０（図２）は、商用交流電源ＡＣに並列接続されており、商用交流電源ＡＣが停電した場合に作動して停電を検出し、リレー接点７１，７２及び後述するリレー接点７３，７４の接続を切り換える。
【００２８】
充電装置Ｂ（図２）は、商用交流電源ＡＣに一次巻線が並列接続された降圧変圧器１６を備えており、降圧変圧器１６の二次巻線の両端部には、それぞれダイオード６３，６４の各アノードが接続されている。降圧変圧器１６の二次巻線の中点タップは、コネクタ８０を介して、二次電池Ｂａの陰極に接続されている。
【００２９】
昇圧装置Ｃは、抵抗３９の一方の端子が、充電装置Ｂのダイオード６３，６４の各カソードに接続され、抵抗３９の他方の端子は、チョークコイル１５の一方の端部に接続されている。チョークコイル１５の他方の端部は、ＮチャネルＦＥＴＱ４のドレイン及びダイオード６５のアノードに接続されている。ＦＥＴＱ４のゲートは、抵抗４２を通じてＩＣ８４に接続され、ソースは、ＩＣ８４に接続されると共に、上記リレー接点７２の第２接点（図１）に接続されている。
【００３０】
ダイオード６５のカソード及びＦＥＴＱ４のソース間には、抵抗４３，４４，４５が直列接続され、抵抗４４，４５の接続節点はＩＣ８４に接続されている。ダイオード６５のカソードは、また、上記リレー接点７１の第２接点（図１）に接続されている。
上記チョークコイル１５、ＦＥＴＱ４、ＩＣ８４、ダイオード６５、及び電解コンデンサ５は、昇圧チョッパ回路を構成する。
【００３１】
上記抵抗３９の他方の端子は、また、リレー接点７３の第３接点に接続され、リレー接点７３の第２接点は、抵抗４１を通じてＩＣ８４と、陰極が接地された電解コンデンサ５７の陽極とに接続されている。リレー接点７３の第１接点は、何れにも接続されていない。
抵抗４０の一方の端子が、リレー接点７３の第３接点と、コネクタ８０及びヒューズ８１を通じて、二次電池Ｂａの陽極とに接続され、他方の端子は、リレー接点７４の第２接点（図１）、及び陰極が接地された電解コンデンサ５８の陽極に接続されている。リレー接点７４の第３接点は、上記電解コンデンサ５４の陽極及びＩＣ８３に接続され、リレー接点７４の第１接点は、何れにも接続されていない。
【００３２】
以下に、このような構成の非常灯点灯装置の動作を説明する。
商用交流電源ＡＣが常用点灯装置Ａの入力端子に与えられると、全波整流回路２がこの交流電源を全波整流し、全波整流された電流は、チョークコイル３の一次巻線３ａ、ダイオード４、切換スイッチ７１の第１接点及び第３接点を経由して、電解コンデンサ５を充電する。
【００３３】
一方、チョークコイル３の二次巻線３ｂには誘導電流が発生し、ダイオード６０を経由して、電解コンデンサ５２を充電する。電解コンデンサ５２の陽極電圧は、電源電圧としてＩＣ８２に与えられる。
更に、チョークコイル３の二次巻線３ｃにも誘導電流が発生し、ダイオード６１，６２を経由して、電解コンデンサ５４を充電する。電解コンデンサ５４の陽極電圧は、電源電圧としてＩＣ８３に与えられる。
【００３４】
ＩＣ８２が、電源電圧を与えられて起動し、ＦＥＴＱ１を連続的にオン／オフすると、チョークコイル３の一次巻線３ａの電磁エネルギーが電解コンデンサ５に蓄積され、電解コンデンサ５の両端電圧は、所定の直流電圧まで昇圧される。
このとき、ＩＣ８３も、電源電圧を与えられて起動しており、ＦＥＴＱ２，Ｑ３のオン／オフを交互に繰り返している。
先ず、ＦＥＴＱ２がオン、ＦＥＴＱ３がオフのときは、電解コンデンサ５の陽極→ＦＥＴＱ２→チョークコイル６→蛍光灯Ｌａの一方のフィラメント→コンデンサ７→蛍光灯Ｌａの他方のフィラメント→コンデンサ９→接地端子の経路で電流が流れる。
【００３５】
次に、ＦＥＴＱ２がオフ、ＦＥＴＱ３がオンのときは、電解コンデンサ５の陽極→コンデンサ８→蛍光灯Ｌａの他方のフィラメント→コンデンサ７→蛍光灯Ｌａの一方のフィラメント→チョークコイル６→ＦＥＴＱ３→接地端子の経路で電流が流れる。
商用交流電源ＡＣが常用点灯装置Ａに与えられた初期状態（０．５〜２．０秒程度）では、上記のオン／オフを繰り返し、この間に蛍光灯Ｌａの両フィラメントが充分に予熱される。
【００３６】
そして、予熱周波数から点灯周波数に移行する際に、チョークコイル６及びコンデンサ７により直列共振を起こすので、蛍光灯Ｌａの両フィラメント間に高電圧が加わって放電し始め、蛍光灯Ｌａは、予熱状態から通常の点灯状態に移行する。このときには、蛍光灯Ｌａは、直列共振状態から外れ、ランプインピーダンスを含めて安定した点灯状態に至る。
他方、充電装置Ｂは、降圧変圧器１６、ダイオード６３，６４及び抵抗３９を経由して、二次電池Ｂａを充電している。
【００３７】
ここで、商用交流電源ＡＣが何らかの原因で停電した場合、交流リレー７０がこの停電を検知し、リレー接点７１，７２，７３，７４のそれぞれの第１接点−第３接点の接続を、第２接点−第３接点の接続に切り換え、それ迄オンであった接続をオフに切り換え、それ迄オフであった接続をオンに切り換える。
このとき、リレー接点７３の切り換えに伴って、二次電池Ｂａの陽極から抵抗４１を経由して電解コンデンサ５７が充電され、この電解コンデンサ５７の陽極電圧が、ＩＣ８４の電源電圧となる。
また、リレー接点７４の切り換えに伴って、二次電池Ｂａの陽極から抵抗４０を経由して電解コンデンサ５８が充電され、この電解コンデンサ５８の陽極電圧が、ＩＣ８３の電源電圧となる。
【００３８】
ＩＣ８４が、電源電圧を与えられて起動し、ＦＥＴＱ４を連続的にオン／オフすると、チョークコイル１５の電磁エネルギーが、リレー接点７１経由で電解コンデンサ５に蓄積され、電解コンデンサ５の両端電圧は、所定の直流電圧まで昇圧される。
このとき、ＩＣ８３は、電解コンデンサ５８から電源電圧を与えられて起動しており、ＦＥＴＱ２，Ｑ３のオン／オフを交互に繰り返しており、以降の蛍光灯Ｌａを点灯させる動作は上述した通常の点灯時の動作と同様である。
このようにして、二次電池Ｂａに蓄積されたエネルギーが続く限り、蛍光灯Ｌａは点灯し続ける。
【００３９】
実施の形態２．
図３は、本発明に係る非常灯点灯装置の実施の形態２の二次電池、充電装置、昇圧装置（昇圧手段）及び交流リレー（検知手段）の構成を示すブロック図である。この非常灯点灯装置の常用点灯装置は、実施の形態１で説明した常用点灯装置Ａ（図１）と同様であるので、その説明を省略する。
交流リレー７０は、商用交流電源ＡＣに並列接続されており、商用交流電源ＡＣが停電した場合に作動して停電を検出し、リレー接点７１，７２及び後述するリレー接点７３，７４の接続を切り換える。
【００４０】
この非常灯点灯装置の充電装置Ｂｂは、商用交流電源ＡＣに一次巻線が並列接続された降圧変圧器１６を備えており、降圧変圧器１６の二次巻線の両端部には、それぞれダイオード６３，６４の各アノードが接続されている。降圧変圧器１６の二次巻線の中点タップは、コネクタ８０を介して、二次電池Ｂａの陰極に接続されている。
【００４１】
昇圧装置Ｃａ（昇圧回路）は、抵抗３９の一方の端子が、充電装置Ｂｂのダイオード６３，６４の各カソードに接続され、抵抗３９の他方の端子は、チョークコイル１５の一方の端部に接続されている。チョークコイル１５の他方の端部は、ＮチャネルＦＥＴＱ４のドレイン及びダイオード６５のアノードに接続されている。ＦＥＴＱ４のゲートは、抵抗４２を通じてＩＣ８４ａに接続され、ソースは、上記リレー接点７２の第２接点（図１）に接続されている。
【００４２】
ダイオード６５のカソード及びＦＥＴＱ４のソース間には、抵抗４３，４４，４５が直列接続され、抵抗４４，４５の接続節点はＩＣ８４ａに接続されている。ダイオード６５のカソード及びＦＥＴＱ４のソース間には、また、電解コンデンサ８５が接続されている。
ダイオード６５のカソードは、また、他の昇圧装置Ｃｂ（昇圧回路）のチョークコイル１５ａの一方の端部に接続されている。
上記チョークコイル１５、ＦＥＴＱ４、ＩＣ８４ａ、ダイオード６５及び電解コンデンサ８５は、昇圧チョッパ回路を構成する。
【００４３】
上記抵抗３９の他方の端子は、また、リレー接点７３の第３接点に接続され、リレー接点７３の第２接点は、抵抗４１を通じてＩＣ８４ａと、陰極が接地された電解コンデンサ５７の陽極とに接続されている。リレー接点７３の第１接点は、何れにも接続されていない。
抵抗４０の一方の端子が、リレー接点７３の第３接点と、コネクタ８０及びヒューズ８１を通じて、二次電池Ｂａの陽極とに接続され、他方の端子は、リレー接点７４（図１）の第２接点、及び陰極が接地された電解コンデンサ５８の陽極に接続されている。リレー接点７４の第３接点は、上記電解コンデンサ５４（図１）の陽極及びＩＣ８３に接続され、リレー接点７４の第１接点は、何れにも接続されていない。
【００４４】
他の昇圧装置Ｃｂは、チョークコイル１５ａの他方の端部が、ＮチャネルＦＥＴＱ４ａのドレイン及びダイオード６５ａのアノードに接続されている。ＦＥＴＱ４ａのゲートは、抵抗４２ａを通じてＩＣ８４ｂに接続され、ソースは、上記リレー接点７２の第２接点（図１）に接続されている。
【００４５】
ダイオード６５ａのカソード及びＦＥＴＱ４ａのソース間には、抵抗４３ａ，４４ａ，４５ａが直列接続され、抵抗４４ａ，４５ａの接続節点はＩＣ８４ｂに接続されている。ＩＣ８４ｂは、電解コンデンサ５７の陽極に接続され、電解コンデンサ５７から電源電圧を与えられる。
ダイオード６５ａのカソードは、また、リレー接点７１の第２接点に接続されている。
上記チョークコイル１５ａ、ＦＥＴＱ４ａ、ＩＣ８４ｂ、ダイオード６５ａ及び電解コンデンサ５（図１）は、昇圧チョッパ回路を構成する。つまり、この非常灯点灯装置の昇圧手段は、２つの昇圧チョッパ回路が多段に接続された構成となっている。
【００４６】
以下に、このような構成の非常灯点灯装置の動作を説明する。
商用交流電源ＡＣが何らかの原因で停電した場合、交流リレー７０がこの停電を検知し、リレー接点７１，７２，７３，７４のそれぞれの第１接点−第３接点の接続を、第２接点−第３接点の接続に切り換え、それ迄オンであった接続をオフに切り換え、それ迄オフであった接続をオンに切り換える。
このとき、リレー接点７３の切り換えに伴って、二次電池Ｂａの陽極から抵抗４１を経由して電解コンデンサ５７が充電され、この電解コンデンサ５７の陽極電圧が、ＩＣ８４ａの電源電圧となる。
また、リレー接点７４（図１）の切り換えに伴って、二次電池Ｂａの陽極から抵抗４０を経由して電解コンデンサ５８が充電され、この電解コンデンサ５８の陽極電圧が、ＩＣ８３（図１）の電源電圧となる。
【００４７】
ＩＣ８４ａが、電源電圧を与えられて起動し、ＦＥＴＱ４を連続的にオン／オフすると、チョークコイル１５の電磁エネルギーが、電解コンデンサ８５に蓄積され、電解コンデンサ８５の両端電圧は、所定の直流電圧まで昇圧される。
このとき、ＩＣ８４ｂも、電源電圧を与えられて起動し、ＦＥＴＱ４ａを連続的にオン／オフしており、電解コンデンサ８５の所定の直流電圧まで昇圧された電圧が与えられるチョークコイル１５ａの電磁エネルギーが、リレー接点７１を経由して電解コンデンサ５（図１）に蓄積され、電解コンデンサ５の両端電圧は、電解コンデンサ８５の両端電圧より高い直流電圧まで昇圧される。これにより、昇圧装置（昇圧手段）が昇圧すべき電圧を２つの昇圧チョッパ回路で分担することが出来るので、ＦＥＴＱ４，Ｑ４ａの温度上昇を抑制することが出来る。その他の構成及び動作は、上述した実施の形態１の構成及び動作と同様であるので、説明を省略する。
【００４８】
実施の形態３．
図４は、本発明に係る非常灯点灯装置の実施の形態３の二次電池、充電装置、昇圧装置（昇圧手段）及び交流リレー（検知手段）の構成を示すブロック図である。この非常灯点灯装置の常用点灯装置は、実施の形態１で説明した常用点灯装置Ａ（図１）と同様であるので、その説明を省略する。
交流リレー７０は、商用交流電源ＡＣに並列接続されており、商用交流電源ＡＣが停電した場合に作動して停電を検出し、リレー接点７１，７２及び後述するリレー接点７３，７４の接続を切り換える。
【００４９】
この非常灯点灯装置の充電装置Ｂｂは、商用交流電源ＡＣに一次巻線が並列接続された降圧変圧器１６を備えており、降圧変圧器１６の二次巻線の両端部には、それぞれダイオード６３，６４の各アノードが接続されている。降圧変圧器１６の二次巻線の中点タップは、コネクタ８０を介して、二次電池Ｂａの陰極に接続されている。
【００５０】
昇圧装置Ｃｃ（昇圧回路）は、抵抗３９の一方の端子が、充電装置Ｂｂのダイオード６３，６４の各カソードに接続され、抵抗３９の他方の端子は、昇圧変圧器１５ｂの一次巻線１５ｄの一方の端部に接続されている。一次巻線１５ｄの他方の端部は、ＮチャネルＦＥＴＱ４のドレイン、及び昇圧変圧器１５ｂの二次巻線１５ｃの一方の端部に接続されている。二次巻線１５ｃの他方の端部は、ダイオード６５のアノードに接続されている。
ＦＥＴＱ４のゲートは、抵抗４２を通じてＩＣ８４に接続され、ソースは、上記リレー接点７２の第２接点（図１）に接続されている。
【００５１】
ダイオード６５のカソード及びＦＥＴＱ４の接地されたソース間には、抵抗４３，４４，４５が直列接続され、抵抗４４，４５の接続節点はＩＣ８４に接続されている。ダイオード６５のカソードは、また、リレー接点７１の第２接点（図１）に接続されている。
上記抵抗３９の他方の端子は、また、リレー接点７３の第３接点に接続され、リレー接点７３の第２接点は、抵抗４１を通じてＩＣ８４と、陰極が接地された電解コンデンサ５７の陽極とに接続されている。リレー接点７３の第１接点は、何れにも接続されていない。
【００５２】
抵抗４０の一方の端子が、リレー接点７３の第３接点と、コネクタ８０及びヒューズ８１を通じて、二次電池Ｂａの陽極とに接続され、他方の端子は、リレー接点７４（図１）の第２接点、及び陰極が接地された電解コンデンサ５８の陽極に接続されている。リレー接点７４の第３接点は、上記電解コンデンサ５４（図１）の陽極及びＩＣ８３に接続され、リレー接点７４の第１接点は、何れにも接続されていない。
【００５３】
以下に、このような構成の非常灯点灯装置の動作を説明する。
商用交流電源ＡＣが何らかの原因で停電した場合、交流リレー７０がこの停電を検知し、リレー接点７１，７２，７３，７４のそれぞれの第１接点−第３接点の接続を、第２接点−第３接点の接続に切り換え、それ迄オンであった接続をオフに切り換え、それ迄オフであった接続をオンに切り換える。
このとき、リレー接点７３の切り換えに伴って、二次電池Ｂａの陽極から抵抗４１を経由して電解コンデンサ５７が充電され、この電解コンデンサ５７の陽極電圧が、ＩＣ８４の電源電圧となる。
また、リレー接点７４（図１）の切り換えに伴って、二次電池Ｂａの陽極から抵抗４０を経由して電解コンデンサ５８が充電され、この電解コンデンサ５８の陽極電圧が、ＩＣ８３（図１）の電源電圧となる。
【００５４】
ＩＣ８４が、電源電圧を与えられて起動し、ＦＥＴＱ４を連続的にオン／オフすると、昇圧変圧器１５ｂが、一次巻線１５ｄ及び二次巻線１５ｃの巻線比に応じて、二次電池Ｂａが出力した電力を昇圧する。この昇圧された電力は、ダイオード６５により整流され、リレー接点７１を経由して電解コンデンサ５（図１）に充電され平滑される。その他の構成及び動作は、上述した実施の形態１の構成及び動作と同様であるので、説明を省略する。
【００５５】
【発明の効果】
第１，２，４，５発明に係る非常灯点灯装置によれば、常用点灯装置及び非常用点灯装置の構成部品の中に重複するものが少なく、部品コストを低減することが出来、組立に手数がかからず、無駄が少ない非常灯点灯装置を実現することが出来る。
【００５６】
また、第３発明に係る非常灯点灯装置によれば、常用点灯装置及び非常用点灯装置の構成部品の中に重複するものが少なく、部品コストを低減することが出来、組立に手数がかからず、無駄が少ない非常灯点灯装置を実現することが出来る。また、多段に接続された複数の昇圧回路を備えた場合は、各昇圧回路のスイッチング素子の温度上昇を抑制することが出来る。
【図面の簡単な説明】
【図１】本発明に係る非常灯点灯装置の実施の形態の構成を示すブロック図である。
【図２】本発明に係る非常灯点灯装置の実施の形態の構成を示すブロック図である。
【図３】本発明に係る非常灯点灯装置の実施の形態の二次電池、充電装置、昇圧装置（昇圧手段）及び交流リレー（検知手段）の構成を示すブロック図である。
【図４】本発明に係る非常灯点灯装置の他の実施の形態の二次電池、充電装置、昇圧装置（昇圧手段）及び交流リレー（検知手段）の構成を示すブロック図である。
【図５】従来の非常灯回路の構成例を示すブロック図である。
【符号の説明】
２  全波整流回路
３，６，１５，１５ａ  チョークコイル
３ａ，１５ｄ  一次巻線
３ｂ，３ｃ，１５ｃ  二次巻線
４，６０〜６５，６５ａ  ダイオード
７０  交流リレー（検知手段）
５，５２，５４，５７，５８，８５  電解コンデンサ
７，８，９  コンデンサ
１５ｂ  昇圧変圧器
１６  降圧変圧器
７１〜７４  リレー接点
８２〜８４，８４ａ，８４ｂ  ＩＣ
Ａ  常用点灯装置
ＡＣ  商用交流電源
Ｂ，Ｂｂ  充電装置
Ｂａ  二次電池
Ｃ，Ｃａ，Ｃｂ，Ｃｃ  昇圧装置（昇圧手段、昇圧回路）
Ｌａ  蛍光灯
Ｑ１〜Ｑ４，Ｑ４ａ  ＮチャネルＦＥＴ
【図１】
2004319361.tif 000003
【図２】
2004319361.tif 000004
【図３】
2004319361.tif 000005
【図４】
2004319361.tif 000006
【図５】
2004319361.tif 000007